(57)【要約】【課題】  氷点下の低温室において設けることが可能で、しかも、低コストで実現でき、実際のオーロラと見間違えるほどの現実味に溢れた擬似オーロラを表現できるオーロラ演出装置を提供することを目的とする。【解決手段】  −35℃〜−15℃の低温室内に設けられたオーロラ演出装置である。スクリーンと、緑色及び青色のＬＥＤ２を多数有しスクリーンに光を照射する投光器３と、複数の縦スリット５が形成され投光器３の投光側に設けられたスリット壁４と、投光器３とスリット壁４との間に設けられ鉛直軸心廻りに回転する鏡体６と、を備えたものである。【選択図】    図２
2005254550.tif 000002
【特許請求の範囲】
【請求項１】
−35℃〜−15℃の低温室（１）内に設けられたオーロラ演出装置であって、スクリーン（７）と、緑色及び青色のＬＥＤ（２）を多数有し該スクリーン（７）に光を照射する投光器（３）と、複数の縦スリット（５）が形成され該投光器（３）の投光側に設けられたスリット壁（４）と、該投光器（３）と該スリット壁（４）との間に設けられ鉛直軸心廻りに回転乃至揺動する鏡体（６）と、を備えたことを特徴とするオーロラ演出装置。
【請求項２】
上記スリット壁（４）と上記スクリーン（７）との間に設けられ、かつ、該投光器（３）からの投光路の下縁を遮断して投光像の下縁の形状を凹凸波形とするための遮断壁（８）を、備えた請求項１記載のオーロラ演出装置。
【請求項３】
上記投光器（３）は、緑色のＬＥＤ（２ａ）と青色のＬＥＤ（２ｂ）とを交互に点灯させると共に、該緑色のＬＥＤ（２ａ）と該青色のＬＥＤ（２ｂ）との輝度を増減変化させるよう制御する調光制御器（９）と接続されている請求項１又は２記載のオーロラ演出装置。
【請求項４】
上記投光器（３）と上記スリット壁（４）と上記鏡体（６）とは、一つのユニット（Ｕ）として構成されている請求項１，２又は３記載のオーロラ演出装置。
【請求項５】
上記ユニット（Ｕ）は、１カ所のスクリーン（７）に対して左右両側方対面位置（10）（10）の２カ所に夫々配設され、各該ユニット（Ｕ）はユニット後方側の隠し壁（11）にて覆われ隠されている請求項４記載のオーロラ演出装置。
【発明の詳細な説明】
【技術分野】
【０００１】
本発明は、オーロラ演出装置に関するものである。
【背景技術】
【０００２】
遊戯施設として現在知られるものに、約−30℃の氷点下まで気温を下げた低温室内を、遊戯者（利用者）が巡回する体験型（体感型）のアトラクションがある。この低温室内は、冷却機にて所定の気温（約−30℃）まで冷やされ、さらに、遊戯者が通行する通路が設けられ、その通路に沿って北極や南極地方の風景・様子を再現している。例えば、シロクマやペンギン等の動物の剥製を設置したり、樹脂にて作製した氷柱を設けている。
【０００３】
このアトラクションをさらに興味深いものとするためにオーロラを擬似的に表現することが考えられる。しかし、現在において擬似的にオーロラを演出する装置は存在しない。  そこで、ビデオ映写機（プロジェクター）による視覚シミュレータを用いて、擬似オーロラを表現することが考えられる。つまり、実際の風景映像（実際のオーロラの映像）を撮影したビデオ映写機を用いて、スクリーンに映写を行う装置が考えられる（例えば、特許文献１参照）。
【特許文献１】特開平７−５８１号公報
【発明の開示】
【発明が解決しようとする課題】
【０００４】
しかし、このアトラクションにおいては、オーロラの映像を−30℃の環境下において映し出す必要があり、ビデオ映写機を用いた場合、機器が−30℃に耐えることができず動作不能となったり、レンズやテープに霜が生じてしまい、オーロラをきれいに表現することが不可能である。
また、ビデオ映写機を用いずにグラスファイバーを用いて発光させる装置が考えられるが、オーロラ特有のカーテン状（膜状）でかつ縦縞模様をうまく表現できず、さらに、ファイバーに霜が生じて光が見えなくなり、きれいに色を表現することが不可能であった。
【課題を解決するための手段】
【０００５】
本発明に係るオーロラ演出装置は、−35℃〜−15℃の低温室内に設けられたオーロラ演出装置であって、スクリーンと、緑色及び青色のＬＥＤを多数有し該スクリーンに光を照射する投光器と、複数の縦スリットが形成され該投光器の投光側に設けられたスリット壁と、該投光器と該スリット壁との間に設けられ鉛直軸心廻りに回転乃至揺動する鏡体と、を備えたものである。
また、上記スリット壁と上記スクリーンとの間に設けられ、かつ、該投光器からの投光路の下縁を遮断して投光像の下縁の形状を凹凸波形とするための遮断壁を、備えたものである。
また、上記投光器は、緑色のＬＥＤと青色のＬＥＤとを交互に点灯させると共に、該緑色のＬＥＤと該青色のＬＥＤとの輝度を増減変化させるよう制御する調光制御器と接続されている。
また、上記投光器と上記スリット壁と上記鏡体とは、一つのユニットとして構成されているのが好ましい。
また、上記ユニットは、１カ所のスクリーンに対して左右両側方対面位置の２カ所に夫々配設され、各該ユニットはユニット後方側の隠し壁にて覆われ隠されている。
【発明の効果】
【０００６】
本発明のオーロラ演出装置によれば、複数の縦スリットによりカーテン状の縦縞模様が映し出され、かつ、鏡体の回転乃至揺動によりスクリーンにおける光の量を連続的に変化させるため、幻想的でゆらゆらとランダム（不規則）に動き、チラつきのある擬似オーロラ投光像が得られる。従って、実際のオーロラと見間違えるほどの現実味に溢れた擬似オーロラを演出できる。
また、擬似オーロラの裾部（下縁）を、遮断壁による影絵の作用により、曲線状に表現でき、実際のオーロラのようなカーテン状で立体感のある像が得られる。
常時、投光器を点灯させれば投光器自体の発熱により投光器に決して霜が付かず、−30℃といった低温室内に装置を設けることが可能となる。また、常時点灯させていても、ＬＥＤを使用しているため消費電力は少なくて済む。
【発明を実施するための最良の形態】
【０００７】
図１は、本発明のオーロラ演出装置が設けられる低温室１の実施の一形態を示す平面図である。この低温室１内は、冷却機にて所定の気温まで冷やされ、さらに、遊戯者が通行する通路（誘導路）12が設けられ、通路12に沿って北極や南極地方の風景・様子を再現したものであり、例えば、シロクマ、トナカイやペンギン等の動物の剥製や人形、模型等を設置したり、樹脂にて作製され下方からＬＥＤにて光を照らす氷柱等を設けている。
【０００８】
そして、この体験型（体感型）アトラクションをさらに興味深いものとするために、通路12の途中に、オーロラを擬似的に表現させるオーロラ演出装置が設けられている。なお、矢印Ｉが、低温室１内への入り口方向を示し、矢印Ｏが出口方向を示す。符号27は冷却機用の室外機である。そして、低温室１内は−35℃〜−15℃に設定され、オーロラ演出装置は、この低温室１内に設けられている。
【０００９】
オーロラ演出装置は、図２の一部破断の斜視図と図５の平面モデル図に示すように、スクリーン７と、スクリーン７に光を照射する投光器３と、投光器３の投光側に設けられたスリット壁４と、投光器３とスリット壁４との間に設けられた鏡体６と、を備えている。  さらに、この装置は、スリット壁４とスクリーン７との間に設けられ、投光器３からの投光路の下縁を遮断する遮断壁８を備えさせるのが好ましい。
【００１０】
スクリーン７は、低温室１の所定位置の内壁面に設けられた白色のボードや白色の垂れ幕等により構成することができる。なお、スクリーン７は鉛直平面形状に限らず、平面視凹凸波形の────左右方向に波うつような凹凸波形の───曲面を持って構成させてもよく、これにより、立体感のある擬似オーロラをスクリーン７にて表現できる。
【００１１】
投光器３は、図３と図４に示すように、スクリーン７に向かって光を照射する照明装置であり、緑色及び青色のＬＥＤ（発光ダイオード）２を多数有している。なお、緑色のＬＥＤ２ａと青色のＬＥＤ２ｂ以外にも、多数の赤色のＬＥＤも有するものとし、光の三原色のＬＥＤ２を多数備えるものとしてもよい。
そして、発光器３は、これら多数のＬＥＤ２を同一面上に整列状又はランダム（不規則）に配設させてパネル状とした本体部17を有するものであり、多数のＬＥＤ２を有する本体部17と、本体部17を支持するスタンド部18と、を有している。
【００１２】
そして、発光器３を、調光制御器９の働きにより、輝度（光量）を連続的に変化させ、かつ、点灯乃至消灯させることができる。
つまり、調光制御器９は投光器３と接続されており、調光制御器９は、緑色のＬＥＤ２ａと青色のＬＥＤ２ｂとを交互に点灯させると共に、緑色のＬＥＤ２ａと青色のＬＥＤ２ｂとの輝度を増減変化（フェードインとフェードアウト）させるよう制御する装置である。これにより、緑色系の擬似オーロラと青色系の擬似オーロラとを交互に表現させることができる。
なお、投光器３は、従来より用いられているビルや橋梁等の構造物をライトアップするための光の三原色（ＲＧＢ）のＬＥＤを有する照明装置を用いることができ、これは、耐候性を有するものであり、各色光量を夫々連続的に変化させることが可能である。
【００１３】
スリット壁４は、図２と図５に示すように、投光器３の投光側に設けられ複数の縦スリット５が形成されたものであり、複数本の鉛直状バー部材19を隙間をもって格子（縦格子）状に配設させて構成し、その隙間から光を照射させる。なお、図示するスリット壁４は、複数本のバー部材19が等間隔で左右方向直線的に並んでいる。バー部材19は、例えば、不透明（黒色）でアクリル樹脂製とされている。なお、図示省略するが、擬似オーロラが揺らめくよう、スリット壁４をゆっくりと左右方向に往復直線運動させるよう構成してもよい。
【００１４】
図６の断面平面図において、バー部材19は断面が細長の矩形とされ、左右方向の厚さ寸法ｔが、 2mm〜 5mmとされ、前後方向の幅寸法Ｗが、15mm〜25mmとされており、バー部材19同士の間隔（縦スリット５の寸法）Ｇが 6mm〜15mmとされている。これにより、バー部材19の剛性が損なわれず所定の間隔Ｇでもってスリット壁４を構成することができ、かつ、適度な間隔Ｇをもって光を遮断するため、きれいな縦縞模様を表現できる。
なお、前後方向とは、投光器３による照射方向（図６の矢印Ｂ方向）であり、その直交方向が左右方向となる。
【００１５】
次に、鏡体６は、図２と図５において、投光器３とスリット壁４との間に設けられ鉛直軸心Ｃ廻りに回転、乃至、鉛直軸心Ｃ廻りに揺動（図示省略）するよう構成されたものである。
本発明の装置は、鏡体６を約 3〜10rpm の回転数にて回転させるモータ20と減速機21とを備えている。
【００１６】
また、鏡体６は、平面視細長断面の形状とされ、鏡体６の長手方向となる幅寸法Ｅは、投光器３の幅寸法Ｆよりも小さく設定されている（Ｅ＜Ｆ）。なお、スリット壁４の幅寸法Ｋは、投光器３の幅寸法Ｆよりも大きく設定されている（Ｆ＜Ｋ）。
そして、鏡体６は、例えば、図２に示すように鉛直状の板部材の表面に鏡面が形成されたものがある。さらに図２では、２枚のこの板部材が背中合わせで回転軸25を挟んで組み立てられ両面が鏡面とされた鏡体６としている。
また、別の形態としては、鏡面を凹又は凸面や凹凸波形等としてもよく、全体が平面視細長断面の形状とされている。
【００１７】
また、遮断壁８は、スリット壁４とスクリーン７との間に設けられ、かつ、投光器３からの投光路（ビーム）の下縁を遮断してスクリーン７に投影される投光像の下縁の形状を凹凸波形とするための部材であり、図２と図５では、固定状の鉛直板部材としている。遮断壁８はその上端が左右にわたって傾斜状でかつ波形に成形されている。従って、影絵の作用により、投光器３からスリット壁４を通過した光の下縁は傾斜波形に遮断され、スクリーン７において擬似オーロラの下縁が傾斜状でかつ波形に表現され、３次元的なものと見える。
【００１８】
遮断壁８は、不透明（黒色）の固定された板部材としてもよいが、図示省略するが、モータと減速機とにより回転自在とされた水平状のシャフトの外周において、遮断壁８として螺旋状の板部材を設けてもよい。つまり、このシャフトの回転に伴って遮断壁８が回転することで、スクリーン７に映し出される擬似オーロラの下縁の波形が揺らめき動く様子として再現できる。
【００１９】
次に、図５において、このオーロラ演出装置の動作について説明する。投光器３の投光面には、多数の緑色のＬＥＤ２ａと青色のＬＥＤ２ｂとが、上下方向、左右方向に散らばって配設されている。つまり、図５に示すように、左右方向に交互に緑色のＬＥＤ２ａと青色のＬＥＤ２ｂとが配設されていると考えられる（投光器３内の符号ａが緑色のＬＥＤ２ａを示し、符号ｂが青色のＬＥＤ２ｂを示す）。
そして、（図外の）調光制御器９の動作により、これらを交互に点灯させると、隣り合う緑色のＬＥＤ２ａ又は青色のＬＥＤ２ｂから投光され一つの縦スリット５を通過する光は、スクリーン７において左右方向僅かに位置がずれて照射されるため、これらが自動調光しながら交互に点灯（照明）することにより、擬似オーロラにチラつきを与えることができる。さらに、縦スリット５によりカーテン状の雰囲気を表現させることができる。
【００２０】
そして、鏡体６を回転（揺動）させることで、投光器３からの光を、鏡体６が影となって遮断面積を変化させながら、部分的に遮断し光の量を減少させ、かつ、鏡体６の反射光により光の量を、スクリーン７方向への反射位置を移動させながら、部分的に変化（増加）させるため、微妙でランダム（不規則）な光のチラつきを与えることができる。
また、調光制御器９により緑色のＬＥＤ２ａと青色のＬＥＤ２ｂとをフェードイン、フェードアウトさせ、しかも、一方のＬＥＤ２の光量が弱くなると他方の光量が強くなるよう交互に点灯、消灯させることで、緑色系の擬似オーロラと青色系の擬似オーロラとを交互に表現させることができる。
【００２１】
なお、図５において右側部（投光器３からスリット壁４まで）は平面視であるが、それ以外の左側部は、スクリーン７方向へ正面に見た図であり、（図５の横方向の）破線は縦縞を示し、破線にて示す斜線のピッチの密度（斜線のピッチの粗さ）は色の濃淡を示す。つまり、本発明によれば、緑色と青色に変化しながら左右方向に色の濃淡が連続し、刻々と色変化する擬似オーロラを表現することができる。
【００２２】
また、投光器３とスリット壁４と鏡体６とは、一つのユニットＵとして構成されている。さらに、図２に示すように、投光器３とスリット壁４と鏡体６と遮断壁８とを、一つのユニットＵとして構成させてもよい。
つまり具体的に説明すると、水平状の基板22上に前方壁をスリット壁４とするボックス23が構成され、ボックス23内において、後部に投光器３のスタンド部18（図示省略）が固定され、かつ、これらの間に鏡体６が配設されている。そして、基板22は、ボックス23よりも前方突出状とされ、その前端部に遮断壁８が取り付けられ、これらが一体状となって取り扱い可能とされている。
【００２３】
また、このユニットＵの大きさは、基板22の幅寸法が 180mm〜250mm であり、遮断壁８が設けられた前端部から投光器３が設けられた後端部までの奥行き寸法が 350mm〜450mm であり、スリット壁４は前後方向の略中央部（40〜60％の範囲）に設けられるのが好ましい。
【００２４】
図７は、低温室１のオーロラ演出装置が設けられた部分の平面図であり、ユニットＵは、１カ所のスクリーン７に対して左右両側方対面位置10，10の２カ所に夫々配設され、各ユニットＵはユニット後方側の隠し壁11にて覆われ隠されている。つまり、スクリーン７と通路12との間にユニットＵが配設され、ユニットＵの通路12側である後方側に鉛直壁状の隠し壁11が立設されており、通路12からユニットＵが見えないよう構成されている。さらに、スクリーン７の手前空間部24に、複数本の（白い）クリスマスツリーのような木により模造林を配設させると、（雪が積った）林の向こうに見えるオーロラが表現できる。
【００２５】
また、これらユニットＵ，Ｕの投光器３，３には調光制御器９が接続され、一方と他方とを時間をずらして色変化（発色）させるよう制御している。これにより、左右で同じ擬似オーロラを表現するのではなく、左右タイミングをずらして異なる色の擬似オーロラを表現でき、より現実的で立体的な演出が可能となる。
【００２６】
また、図１に示すように、全通路12のうち（多少は蛇行しているが）直線状通路部14の行き当たり壁面13にスクリーン７を設けて擬似オーロラを表現してもよい。これにより、直線状通路部14の上流側から来た遊戯者に、下流側にて表現させた擬似オーロラを離れた位置から見せることができ、はるか彼方の天空に現れたオーロラとして認識させ、より幻想的な雰囲気を演出することができる。
【００２７】
以上のように、本発明によれば、−35℃〜−15℃の低温室１内に設けられたオーロラ演出装置であって、スクリーン７と、緑色及び青色のＬＥＤ２を多数有しスクリーン７に光を照射する投光器３と、複数の縦スリット５が形成され投光器３の投光側に設けられたスリット壁４と、投光器３とスリット壁４との間に設けられ鉛直軸心廻りに回転乃至揺動する鏡体６と、を備えたものであるため、複数の縦スリット５によりカーテン状の縦縞模様が映し出され、かつ、鏡体６の回転乃至揺動によりスクリーン７における光の量を連続的に変化させるため、幻想的でゆらゆらとランダム（不規則）に動き、かつ、チラつきのある擬似オーロラ投光像が得られる。従って、実際のオーロラと見間違えるほどの現実味に溢れた擬似オーロラを演出できる。
【００２８】
また、常時、投光器３を点灯させれば投光器３自体の発熱により投光器３に決して霜が付かず、例えば−30℃といった低温室１内に装置を設けることが可能となる。また、常時点灯させていても、ＬＥＤ２を使用しているため消費電力は少なくて済む。
【００２９】
また、スリット壁４とスクリーン７との間に設けられ、かつ、投光器３からの投光路の下縁を遮断して投光像の下縁の形状を凹凸波形とするための遮断壁８を、備えたものであるため、擬似オーロラの裾部（下縁）を、遮断壁８による影絵の作用により、曲線状に表現でき、実際のオーロラのようなカーテン状で立体感のある像が得られる。
【００３０】
また、投光器３は、緑色のＬＥＤ２ａと青色のＬＥＤ２ｂとを交互に点灯させると共に、緑色のＬＥＤ２ａと青色のＬＥＤ２ｂとの輝度を増減変化させるよう制御する調光制御器９と接続されているため、隣り合う緑色のＬＥＤ２ａ又は青色のＬＥＤ２ｂより投光され一つの縦スリット５を通過する光は、スクリーン７において左右方向僅かに位置がずれるため、これらの交互の点灯により、擬似オーロラにチラつきを与えることができる。
また、調光制御器９により緑色のＬＥＤ２ａと青色のＬＥＤ２ｂとをフェードイン、フェードアウトさせ、しかも、一方のＬＥＤ２の光量が弱くなると他方の光量が強くなるよう交互に点灯、消灯させることで、緑色系の擬似オーロラと青色系の擬似オーロラとを交互に表現させることができる。
【００３１】
投光器３とスリット壁４と鏡体６とは、一つのユニットＵとして構成されているため、設置が簡単であり、コストダウンが図れる。
また、ユニットＵは、１カ所のスクリーン７に対して左右両側方対面位置10，10の２カ所に夫々配設され、各ユニットＵはユニット後方側の隠し壁11にて覆われ隠されているため、通路12側からユニットＵが見えることがなく、また、単調な一つの擬似オーロラではなく、複数重なるオーロラのように見え、立体感を持たせることができる。
【図面の簡単な説明】
【００３２】
【図１】本発明のオーロラ演出装置が設けられる低温室の実施の一形態を示す平面図である。
【図２】オーロラ演出装置の一部破断の斜視図である。
【図３】投光器の正面図である。
【図４】投光器の側面図である。
【図５】オーロラ演出装置の構成を説明する平面モデル図である。
【図６】縦スリットを説明する断面平面図である。
【図７】低温室のオーロラ演出装置が設けられた部分の平面図である。
【符号の説明】
【００３３】
１  低温室
２  ＬＥＤ（発光ダイオード）
２ａ  緑色のＬＥＤ
２ｂ  青色のＬＥＤ
３  投光器
４  スリット壁
５  縦スリット
６  鏡体
７  スクリーン
８  遮断壁
９  調光制御器
10  側方対面位置
11  隠し壁
Ｕ  ユニット
【図１】
2005254550.tif 000003
【図２】
2005254550.tif 000004
【図３】
2005254550.tif 000005
【図４】
2005254550.tif 000006
【図５】
2005254550.tif 000007
【図６】
2005254550.tif 000008
【図７】
2005254550.tif 000009